(57)【特許請求の範囲】
【請求項１】
複数の無線電力受信機を充電することができる無線電力送信機であって、
複数のコイルセルと、
メインパルス信号が印加されるメインハーフブリッジインバータと、
第１サブパルス信号または第２サブパルス信号が印加される複数のサブハーフブリッジインバータと、
前記コイルセルの電流をモニタリングする電流センサーと、
前記メインハーフブリッジインバータ及び前記サブハーフブリッジインバータに印加されるパルス信号をコントロールし、前記無線電力受信機と通信を遂行する通信／コントロールユニットと、を含み、
前記サブハーフブリッジインバータの各々は前記コイルセルに連結され、
前記第１サブパルス信号は前記メインパルス信号が位相反転されたパルス信号であり、前記第２サブパルス信号は前記メインパルス信号が位相コントロールされた信号であり、
前記通信／コントロールユニットは、無線電力受信機の発見のために、前記サブハーフブリッジインバータの少なくとも１つに前記第２サブパルス信号を印加し、
応答が受信された前記無線電力受信機が誘導タイプ無線電力受信機の場合、前記通信／コントロールユニットは、前記サブハーフブリッジインバータに印加された前記第２サブパルス信号の位相をコントロールすることによって電力転送を遂行する、無線電力送信機。
【請求項２】
前記応答が受信された前記無線電力受信機が共振タイプ無線電力受信機の場合、前記通信／コントロールユニットは前記無線電力受信機から前記応答を受信した前記コイルセルに連結された前記サブハーフブリッジインバータに前記第１サブパルス信号を印加することによって電力転送を遂行する、請求項１に記載の無線電力送信機。
【請求項３】
前記コイルセルの少なくとも１つが応答を受信していない場合、前記通信／コントロールユニットは前記サブハーフブリッジインバータをディスエーブルする、請求項１に記載の無線電力送信機。
【請求項４】
前記無線電力受信機の前記応答はモード情報を含み、前記モード情報は前記無線電力受信機が誘導タイプか、または共振タイプかを示す、請求項２に記載の無線電力送信機。
【請求項５】
前記サブハーフブリッジインバータの少なくとも１つに対する前記第２サブパルス信号の印加は同時にまたは順次に遂行される、請求項１に記載の無線電力送信機。
【請求項６】
メインハーフブリッジインバータ及び複数のサブハーフブリッジインバータを含む無線電力送信機の無線電力送信方法であって、
少なくとも１つの前記サブハーフブリッジインバータに第２サブパルス信号が印加されるセレクション信号を設定するステップと、
前記少なくとも１つのサブハーフブリッジインバータに前記第２サブパルス信号を印加することによって、少なくとも１つのコイルセルに電力を転送するステップと、
前記少なくとも１つのコイルセルが無線電力受信機から応答を受信する場合、前記無線電力受信機が誘導タイプか、または共振タイプかを決定するステップと、
前記無線電力受信機が共振タイプの場合、前記少なくとも１つのサブハーフブリッジインバータに第１サブパルス信号が印加されるように前記セレクション信号を変更するステップ、または、前記無線電力受信機が誘導タイプの場合、前記セレクション信号を変更する代わりに、前記第２サブパルス信号の位相をコントロールするステップと、を含み、
前記第１サブパルス信号は前記メインハーフブリッジインバータに印加されるメインパルス信号が位相反転されたパルス信号であり、前記第２サブパルス信号は前記メインパルス信号が位相コントロールされた信号である、無線電力送信方法。
【請求項７】
前記少なくとも１つのコイルセルが無線電力受信機から応答を受信していない場合、イネーブル信号の印加を終了するステップをさらに含む、請求項６に記載の無線電力送信方法。
【請求項８】
前記無線電力受信機からの前記応答はモード情報を含み、前記モード情報は前記無線電力受信機が誘導タイプか、または共振タイプかを示す、請求項６に記載の無線電力送信方法。
【請求項９】
イネーブル信号は前記少なくとも１つのサブハーフブリッジに対して同時にまたは順次に印加される、請求項６に記載の無線電力送信方法。
【発明の詳細な説明】
【技術分野】
【０００１】
本発明は無線電力送信装置及び方法に関し、特に１つだけでなく複数の無線電力受信装置を共に充電することができる無線電力送信装置及び方法に関する。
【背景技術】
【０００２】
無接点無線充電は既存の有線を通じてエネルギーを転送して電子機器の電源に使用する方式において、線を除去し、電磁気的にエネルギーを伝達するエネルギー伝達方式である。無接点無線転送方式には電磁気誘導方法及び共振方法が存在する。電磁気誘導方式は、電力送信部で電力送信コイル（１次コイル）を通じて磁場を発生させ、電流が誘導できる位置に受信コイル（２次コイル）を位置させることによって電力を伝達する方式である。共振方式は、送信コイル及び受信コイル間の共鳴現象を用いてエネルギーを転送し、単に１次コイルの共振周波数と２次コイルの共振周波数を同一にシステムを構成することによって、コイル間の共振モードエネルギー結合を使用する。
【発明の概要】
【発明が解決しようとする課題】
【０００３】
最近、モバイル機器のための電磁気誘導方式無線充電装置、即ち無線電力送信装置が開発されている。特に、このような無線電力送信装置の標準化のためにＷＰＣ（Wireless Power Consirtium）で無線電力転送関連技術を規格化している。
【０００４】
リリースされたＷＰＣ標準は低電力のモバイル機器充電を対象にする。しかしながら、モバイル機器の多様化及び充電効率の向上のために既存の低電力充電より高い電力の充電が必要になった。また、無線充電技術の商用化が急激に進行されるにつれて、使用便宜性のために複数の機器を同時に充電することができる方法も必要になった。
【課題を解決するための手段】
【０００５】
前述した技術的課題を解決するために、本発明の実施形態に係る無線電力送信機は、複数の無線電力受信機を充電することができる無線電力送信機であって、複数のコイルセルと、メインパルス信号が印加されるメインハーフブリッジインバータと、第１サブパルス信号または第２サブパルス信号が印加される複数のサブハーフブリッジインバータと、前記コイルセルの電流をモニタリングする電流センサーと、前記メインハーフブリッジインバータ及び前記複数のサブハーフブリッジインバータに印加されるパルス信号をコントロールし、前記無線電力受信機と通信を遂行する通信／コントロールユニットと、を含み、前記複数のサブハーフブリッジインバータの各々は前記複数のコイルセルの各々に連結され、前記第１サブパルス信号は前記メインパルス信号が位相反転されたパルス信号であり、前記第２サブパルス信号は前記メインパルス信号が位相コントロールされた信号である。
【０００６】
また、本発明の実施形態に係る無線電力送信機において、前記コントロールユニットは電力受信機の発見のために前記複数のサブハーフブリッジインバータのうち、少なくとも１つのサブハーフブリッジインバータに前記第２サブパルス信号を印加することができる。
【０００７】
また、本発明の実施形態に係る無線電力送信機は、前記複数のコイルセルのうち、少なくとも１つのコイルセルで電力受信機の応答を受信した場合、前記コントロールユニットは前記電力受信機の応答が受信されたコイルセルに連結されたサブハーフブリッジインバータに前記第１サブパルス信号を印加することによって電力転送を遂行することができる。
【０００８】
また、本発明の実施形態に係る無線電力送信機は、前記複数のコイルセルのうち、少なくとも１つのコイルセルで電力受信機の応答を受信していない場合、前記コントロールユニットは複数のサブハーフブリッジインバータをディスエーブルすることができる。
【０００９】
また、本発明の実施形態に係る無線電力送信機において、前記応答が受信された無線電力受信機が誘導タイプ無線電力受信機の場合、前記コントロールユニットは前記サブハーフブリッジインバータに印加された前記第２電力信号の位相をコントロールすることによって電力転送を遂行することもできる。
【００１０】
また、前記無線電力受信機の応答はモード情報を含み、前記モード情報は前記無線電力受信機が誘導タイプか、または共振タイプかを示すことができる。
【００１１】
また、本発明の実施形態に係る無線電力送信機において、前記複数のサブハーフブリッジインバータのうち、少なくとも１つのサブハーフブリッジインバータに対する前記第２サブパルス信号の印加は同時に、または順次に遂行できる。
【００１２】
前述した技術的課題を解決するために、本発明の実施形態に係る無線電力送信方法は、１つのメインハーフブリッジインバータ及び複数のサブハーフブリッジインバータを含む無線電力送信機の無線電力送信方法であって、少なくとも１つのサブハーフブリッジインバータに第１サブパルス信号及び第２サブパルス信号のうち、前記第２サブパルス信号が印加されるセレクション信号を設定するステップと、前記少なくとも１つのサブハーフブリッジインバータにイネーブル信号を印加することによって、少なくとも１つのコイルセルに電力を転送するステップと、前記少なくとも１つのコイルセルで無線電力受信機の応答を受信する場合、前記少なくとも１つのサブハーフブリッジインバータに前記第１サブパルス信号が印加されるようにセレクション信号を変更するステップと、を含み、前記第１サブパルス信号は前記メインハーフブリッジインバータに印加されるメインパルス信号が位相反転されたパルス信号であり、前記第２サブパルス信号は前記メインパルス信号が位相コントロールされた信号である。
【００１３】
また、本発明の実施形態に係る無線電力送信方法は、前記少なくとも１つのコイルセルで無線電力受信機の応答を受信していない場合、前記イネーブル信号の印加を終了するステップをさらに含むことができる。
【００１４】
また、本発明の実施形態に係る無線電力送信方法は、前記少なくとも１つのコイルセルで前記無線電力受信機の応答を受信する場合、前記無線電力受信機が誘導タイプか、または共振タイプかを決定するステップをさらに含むことができる。
【００１５】
また、本発明の実施形態に係る無線電力送信方法は、前記無線電力受信機が誘導タイプの場合、前記セレクション信号を変更する代わりに、前記第２サブパルス信号の位相をコントロールするステップをさらに含むことができる。
【００１６】
また、本発明の実施形態に係る無線電力送信方法において、前記無線電力受信機の応答はモード情報を含み、前記モード情報は前記無線電力受信機が誘導タイプか、または共振タイプかを示すことができる。
【００１７】
また、本発明の実施形態に係る無線電力送信方法において、前記イネーブル信号は前記少なくとも１つのサブハーフブリッジに対して同時に、または順次に印加できる。
【発明の効果】
【００１８】
本発明に係る無線電力送信機は、無線電力受信機が共振タイプか、または誘導タイプかを識別して適切な方法により電力転送をコントロールすることができる。
【００１９】
特に、本発明に係る無線電力送信機は、無線電力受信機からモード情報を受信することによって無線電力受信機のタイプを識別することができる。好ましくは、無線電力送信機もモード情報を転送することによって、無線電力送信機がサポートする充電方式−誘導タイプ／共振タイプ−を示すことができる。
【００２０】
また、本発明に係る無線電力送信機は、メインハーフブリッジインバータと複数のサブハーフブリッジインバータを含み、複数のコイルセルに通信用電力または充電用電力を印加するための複数のサブパルス信号を複数のサブハーフブリッジインバータに印加することができる。このような構造を使用することによって通信用電力及び充電用電力を効率良くスイッチングすることができ、したがって、複数の無線電力受信機を効率良く発見し充電することができる。また、このような構造を使用することによって、回路複雑度を低め、かつ複数のコイルセルに対する個別制御を効率良く遂行することができる。
【００２１】
また、本発明に係る無線電力送信機は、複数のコイルセルを使用して効率良く異なるタイプの無線電力受信機を発見し、タイプに合う充電コントロールを遂行することもできる。
【図面の簡単な説明】
【００２２】
【図１】本発明の一実施形態に係る無線電力送受信システムを示す。
【図２】本発明の実施形態に係る電力送受信方法を示すブロック図である。
【図３】本発明の実施形態に係る誘導モードの電力伝達コントロール方法を示す。
【図４】本発明の一実施形態に係る電力送信装置を示す。
【図５】本発明の一実施形態に係る電力受信装置を示す。
【図６】本発明の一実施形態に係る電力転送方法を示す。
【図７】本発明の実施形態に係る電力受信機が転送する構成パケット及び電力送信機が転送する構成パケットを示す。
【図８】電力送信機のタイプ及び電力受信機のタイプに従う動作方法の差異及び制御の流れを示す。
【図９】本発明の一実施形態に係るＩＤ割り当てパケットを示す。
【図１０】本発明の一実施形態に係る電力伝達の間のデータ通信のためのフレーム構造を示す。
【図１１】本発明の一実施形態に係るシンクパケットを示す。
【図１２】本発明の実施形態に係る電力送信機を示す図である。
【図１３】本発明の実施形態に係る電力送信機を示す図である。
【図１４】本発明の実施形態に係るメインパルス信号、サブパルス信号、及びマルチプレクサの出力パルス信号を示す。
【図１５】本発明の一実施形態に係る無線電力送信機の動作方法を示す。
【図１６】本発明の他の一実施形態に係る電力送信機を示す図である。
【図１７】本発明の他の一実施形態に係る電力送信機を示す図である。
【発明を実施するための形態】
【００２３】
本発明の好ましい実施形態に対して具体的に説明し、その例は添付の図面に示す。添付の図面を参照した以下の詳細な説明は、本発明の実施形態に従って実現できる実施形態のみを示すよりは、本発明の好ましい実施形態を説明するためのものである。以下の詳細な説明は、本発明に対する徹底した理解を提供するために細部事項を含む。しかしながら、本発明がこのような細部事項無しで実行できるということは当業者に自明である。
【００２４】
本発明で使われる大部分の用語は該当分野で広く使われる一般的なものから選択されるが、一部の用語は出願人により任意に選択され、その意味は必要によって次の説明で詳細に叙述する。したがって、本発明は用語の単純な名称や意味ではなく、用語の意図された意味に基づいて理解されるべきである。
【００２５】
最近、モバイル機器を含む多様な電子機器のための電磁気誘導方式無線充電装置、即ち無線電力送信装置が開発されている。特に、このような無線電力送信装置の標準化のために、ＷＰＣ（Wireless Power Consirtium）で無線電力送信／受信関連技術を規格化している。本明細書において、携帯電話、タブレットＰＣ、ノートブック、電動歯ブラシなどの携帯及び移動可能な電子機器をモバイル機器と称する。本明細書で無線電力を受信する電子機器としてモバイル機器を例として説明するが、これは実施形態に対するものであって、無線電力受信機を含む任意の電子機器が本発明の対象になることは明らかである。
【００２６】
最近開発される無線充電システムは、約５Ｗまでの低電力送受信をサポートする。但し、最近モバイル機器のサイズが大きくなり、バッテリー容量も増加されているので、このような低電力充電方式の場合、充電時間が長く、効率が落ちる問題点があるので、約１５Ｗまでの中間電力送受信をサポートする無線充電システムが開発されている。これと共に、同時に複数の電子機器を充電するために共振方式が追加された無線充電システムも開発されている。本発明は、共振方式が追加された無線充電システムに対するものであって、低電力／中間電力の誘導タイプの無線充電送／受信機と互換可能な共振タイプの無線充電送／受信機を提案しようとする。
【００２７】
以下、無線電力送信機は電力送信機または送信機と、無線電力受信機は電力受信機または受信機と略することもできる。
【００２８】
図１は、本発明の一実施形態に係る無線電力送受信システムを示す。
【００２９】
図１で、無線電力送受信システムは、無線で電力を受信するモバイル機器１０１０（Mobile Device）及びベースステーション１０２０（Base Station）を含む。
【００３０】
モバイル機器１０１０は、２次コイル（Secondary Coil）を通じて無線電力を受信する電力受信機１０４０（Power Receiver）、及び電力受信機で受信した電力の伝達を受けて格納し、機器に供給するロード１０３０（Load）を含む。そして、電力受信機１０４０は、２次コイルを通じて無線電力信号を受信して電気エネルギーに変換する電力ピックアップユニット１０８０（Power Pick-Up Unit）、及び電力送信機１０５０との通信及び電力信号送受信（電力伝達／受信）を制御する通信／コントロールユニット１０９０（Communications & Control Unit）を含むことができる。モバイル機器１０１０は、以下で電力受信装置と称されることもある。
【００３１】
ベースステーション１０２０は、誘導電力（inductive power）または共振電力（resonant power）を提供する装置であって、１つまたは複数の電力送信機１０５０、１０６０（Power Transmitter）、及びシステムユニット１０７０を含むことができる。電力送信機１０５０は、誘導／共振電力を転送し、電力転送を制御することができる。電力送信機１０５０は１次コイル（Primary Coil(s)）を通じて磁場を生成することによって、電気エネルギーを電力信号に変換／伝達する電力変換ユニット１１００（Power Conversion Unit）、及び適切なレベルで電力を伝達するように電力受信機との通信及び電力伝達をコントロールする通信／コントロールユニット１１１０（Communications & Control Unit）を含むことができる。システムユニット１０７０は、入力電力プロビジョニング（provisioning）、複数の電力送信機のコントロール及びユーザインターフェース制御のようなベースステーションのその他の動作制御を遂行することができる。ベースステーション１０２０は、以下で電力送信装置と称されることもある。
【００３２】
電力送信機は、動作ポイントをコントロールすることによって送信電力をコントロールすることができる。コントロールする動作ポイント（operating point）は、周波数（位相）、デューティサイクル（duty cycle）、及び電圧振幅の組合せに該当することができる。電力送信機は、周波数（位相）、デューティサイクル／デューティ比（duty ratio）、及び入力電圧の振幅のうち、少なくとも１つを調節して伝達される電力をコントロールすることができる。また、電力送信機は一定の電力を供給し、電力受信機が共振周波数をコントロールすることによって、受信電力をコントロールすることもできる。
【００３３】
以下、コイルまたはコイル部は、コイル及びコイルと近接した少なくとも１つの素子を含んでコイルアセンブリ、コイルセル、またはセルと称することもある。
【００３４】
本明細書において、電力送受信装置は、誘導（inductive）モード及び共振（resonant）モードで動作することができる。誘導モードで動作する場合、送受信する電力量によって動作モードは低電力モード及び中間電力モードに分けられる。
【００３５】
誘導モードで、電力送受信装置は定まった容量／レベルで電力送受信を遂行することができる。例えば、低電力（Low Power）送信／中間電力（Medium Power）送信／高電力送信などのように電力送信レベルが分けられる。本明細書では、約５Ｗまでの無線電力送受信を遂行する場合を低電力モードの送受信、約１５Ｗまでの無線電力を送受信する場合を中間電力モードの送受信と称することができる。実施形態に従って、低電力は０〜１０Ｗ、中間電力は１０〜２０Ｗに該当することもできる。
【００３６】
共振モードで、電力送信装置は同時に複数の電力受信装置に電力を供給することができる。したがって、共振モードは共有モード（shared mode）と称することもできる。共振モードで、電力送受信装置は誘導モードとは異なる方式により電力送受信を遂行することができる。共有モードに対応して誘導モードを独占モード（exclusive mode）と称することもできる。
【００３７】
以下、まず電力送受信ステップに対して説明する。
【００３８】
図２は、本発明の実施形態に係る電力送受信方法を示すブロック図である。
【００３９】
本発明に係る無線充電システムにおいて、無線充電は５個のステップ（phase）を通じて遂行できる。５個のステップは、セレクションステップ（Ｓ２０１０；selection phase）、ピングステップ（Ｓ２０２０；ping phase）、識別／構成ステップ（Ｓ２０３０；identification & configuration phase）、折衝ステップ（Ｓ２０４０；negotiation phase）、及び電力伝達ステップ（Ｓ２０５０；power transfer phase）を含み、単に、低電力モードの電力送受信で折衝ステップ（Ｓ２０４０）は省略できる。即ち、低電力モードでは４個のステップで電力送受信が遂行され、中間電力モードでは折衝ステップ（Ｓ２０４０）を追加して遂行することができる。
【００４０】
セレクションステップ（Ｓ２０１０）で、電力送信機は送信機に備えられたインターフェース表面に対するオブジェクトの接触／離脱をモニタリングする。図２のように、無線電力送信機は電力信号を印加して外部オブジェクトの接触を感知することができる。言い換えると、電力送信機は１次コイルに短い電力信号を印加し、この電力信号によって発生する１次コイルの電流を感知して外部オブジェクトの存否をモニタリングすることができる。そして、電力送信機はセレクションステップ（Ｓ２０１０）でモニタリングされた信号強度（signal strength）情報（パケット）を受信し、これに基づいてオブジェクトを検出（ディテクト；detect）すれば、このオブジェクトが電力受信機か、または単純な外部オブジェクト（鍵、銅銭など）か否かを選択することができる。このような選択のために、電力送信機はピングステップ（Ｓ２０２０）、識別／構成ステップ（Ｓ２０３０）、及び折衝ステップ（Ｓ２０４０）のうち、少なくとも１つのステップを追加で遂行することができる。
【００４１】
ピングステップ（Ｓ２０２０）で、電力送信機はディジタルピングを遂行し、電力受信機の応答を待機することができる。ディジタルピングは電力受信機を検出及び識別するための電力信号の印加／転送を示す。電力送信機が電力受信機を発見すれば、電力送信機はディジタルピングを拡張して識別／構成ステップ（Ｓ２０３０）に進行することができる。
【００４２】
識別／構成ステップ（Ｓ２０３０）で、電力送信機は選択された電力受信機を識別し、最大電力量のような電力受信機の構成（configuration）情報を獲得することができる。言い換えると、電力送信機は識別／構成情報を受信して電力受信機に対する情報を獲得し、この情報を使用して電力伝達契約（Power Transfer Contract）を設定（establish）することができる。この電力伝達契約は、以後の電力伝達ステップ（Ｓ２０５０）で電力伝達を特徴づける複数のパラメータに対する制限を含むことができる。
【００４３】
折衝ステップ（Ｓ２０４０）で、電力受信機は追加的な電力伝達約定を生成するために電力送信機と折衝することができる。言い換えると、電力送信機は電力受信機から折衝要求／情報を受信することができ、折衝ステップ（Ｓ２０４０）は識別／構成ステップ（Ｓ２０３０）で対象受信機が中間電力受信機であると確認された場合のみ進行できる。折衝ステップ（Ｓ２０４０）で、電力送信機の保証（guaranteed）電力レベル及び電力受信機の最大電力のような追加的なパラメータが折衝できる。電力受信機が低電力受信機の場合には折衝ステップ（Ｓ２０４０）は省略し、識別／構成ステップ（Ｓ２０３０）で直ぐ電力伝達ステップ（Ｓ２０５０）に進行することができる。
【００４４】
電力伝達ステップ（Ｓ２０５０）で、電力送信機は電力受信機に無線で電力を提供する。電力送信機は送信される電力に対するコントロールデータを受信して、これによって電力伝達を制御することができる。そして、電力送信機は電力伝達のうち、電力伝達契約に従うパラメータの制限が違反されれば、電力伝達を中止し、セレクションステップ（Ｓ２０１０）に進行することができる。
【００４５】
図３は、本発明の実施形態に係る誘導モードの電力伝達コントロール方法を示す。
【００４６】
図３で、電力送信機３０１０及び電力受信機３０２０は、図１で示すように、各々電力変換ユニット３０３０及び電力ピックアップユニット３０４０を含むことができる。
【００４７】
前述した誘導モードの電力伝達ステップ（Ｓ２０５０）で、電力送信機及び電力受信機は、電力送受信と共に通信を並行することによって、伝達される電力の量をコントロールすることができる。電力送信機及び電力受信機は、特定コントロールポイントで動作する。コントロールポイントは、電力伝達が遂行される時、電力受信機の出力端（output）から提供される電圧及び電流の組合せ（combination）を示す。
【００４８】
より詳しくは、電力受信機は所望のコントロールポイント（desired Control Point）−所望の出力電流／電圧、モバイル機器の特定位置の温度などを選択し、追加で現在動作している実際コントロールポイント（actual Control Point）を決定する。電力受信機は、所望のコントロールポイントと実際コントロールポイントを使用して、コントロールエラー値（Control Error Value）を算出し、これをコントロールエラーパケットとして電力送信機に転送することができる。
【００４９】
そして、電力送信機は受信したコントロールエラーパケットを使用して新たな動作ポイント−振幅、周波数、及びデューティサイクル−を設定／コントロールして電力伝達を制御することができる。したがって、コントロールエラーパケットは、電力伝達ステップで、一定時間間隔で転送／受信され、実施形態として電力受信機は電力送信機の電流を低減しようとする場合はコントロールエラー値を負数に、電流を増加させようとする場合はコントロールエラー値を正数に設定して転送することができる。このように、誘導モードでは電力受信機がコントロールエラーパケットを電力送信機に送信することによって電力伝達を制御することができる。
【００５０】
以下に説明する共振モードでは誘導モードとは異なる方式により動作することができる。共振モードでは１つの電力送信機が複数の電力受信機を同時にサービングできなければならない。但し、前述した誘導モードのように電力伝達をコントロールする場合、伝達される電力が１つの電力受信機との通信によりコントロールされるので、追加的な電力受信機に対する電力伝達はコントロールが困難である。したがって、本発明の共振モードでは、電力送信機は基本電力を共通的に伝達し、電力受信機が自身の共振周波数をコントロールすることによって、受信する電力量をコントロールする方法を使用しようとする。但し、このような共振モードの動作でも図３で説明した方法が完全に排除されるものではなく、追加的な送信電力の制御を図３の方法により遂行することもできる。
【００５１】
図４は、本発明の一実施形態に係る電力送信装置を示す。
【００５２】
図４で、電力送信装置４０１０は、コイルアセンブリを覆うカバー４０２０、電力送信機に電力を供給する電力アダプタ４０３０、無線電力を送信する電力送信機４０４０、または電力伝達の進行及び他の関連情報を提供するユーザインターフェース４０５０のうち、少なくとも１つを含むことができる。特に、ユーザインターフェース４０５０は、オプショナルに含まれるか、または電力送信装置の他のユーザインターフェース４０５０として含まれることができる。
【００５３】
電力送信機４０４０は、コイルアセンブリ４０６０、インピーダンスマッチング回路４０７０、インバータ４０８０、通信ユニット４０９０、またはコントロールユニット４１００のうち、少なくとも１つを含むことができる。
【００５４】
コイルアセンブリ４０６０は、磁場を生成する少なくとも１つの１次コイルを含み、コイルセルと称されることもできる。
【００５５】
インピーダンスマッチング回路４０７０は、インバータと１次コイルとの間のインピーダンスマッチングを提供することができる。インピーダンスマッチング回路４０７０は、１次コイル電流をブースト（boost）する適合した（suitable）周波数で共振（resonance）を発生させることができる。多重コイル（multi-coil）電力送信機でインピーダンスマッチング回路はインバータで１次コイルのサブセットで信号をルーティングするマルチプレックスを追加で含むこともできる。インピーダンスマッチング回路はタンク回路（tank circuit）と称されることもできる。
【００５６】
インバータ４０８０は、ＤＣインプットをＡＣ信号に変換することができる。インバータ４０８０は可変（adjustable）周波数のパルスウェーブ及びデューティサイクルを生成するようにハーフブリッジまたはプールブリッジで駆動できる。また、インバータは入力電圧レベルを調整するように複数のステージを含むこともできる。
【００５７】
通信ユニット４０９０は、電力受信機との通信を遂行することができる。電力受信機は電力送信機に対する要求及び情報を通信するためにロード（load）変調を遂行する。したがって、電力送信機は通信ユニット４０９０を使用して電力受信機が転送するデータを復調するために、１次コイルの電流及び／又は電圧の振幅及び／又は位相をモニタリングすることができる。また、電力送信機は通信ユニット４０９０を通じてＦＳＫ（Frequency Shift Keying）方式などを使用してデータを転送するように出力電力をコントロールすることもできる。
【００５８】
コントロールユニット４１００は、電力送信機の通信及び電力伝達をコントロールすることができる。コントロールユニット４１００は、前述した動作ポイントを調整して電力転送を制御することができる。動作ポイントは、例えば、動作周波数、デューティサイクル、及び入力電圧のうち、少なくとも１つにより決定できる。
【００５９】
通信ユニット４０９０及びコントロールユニット４１００は別個のユニット／素子／チップセットで備えられるか、または図１に示すように１つのユニット／素子／チップセットで備えられることもできる。
【００６０】
図５は、本発明の一実施形態に係る電力受信装置を示す。
【００６１】
図５で、電力受信装置５０１０は、電力伝達進行及び他の関連情報を提供するユーザインターフェース５０２０、無線電力を受信する電力受信機５０３０、ロード回路５０４０、またはコイルアセンブリを支えてカバーするベース５０５０のうち、少なくとも１つを含むことができる。特に、ユーザインターフェース４０５０はオプショナルに含まれるか、電力受信装置の他のユーザインターフェース４０５０として含まれることもできる。
【００６２】
電力受信機５０３０は、電力コンバータ５０６０、インピーダンスマッチング回路５０７０、コイルアセンブリ５０８０、通信ユニット５０９０、またはコントロールユニット５１００のうち、少なくとも１つを含むことができる。
【００６３】
電力コンバータ５０６０は、２次コイルから受信するＡＣ電力をロード回路に適合した電圧及び電流に変換（convert）することができる。実施形態として、電力コンバータ５０６０は整流器（rectifier）を含むことができる。追加で、電力コンバータは電力受信機の反射（reflected）インピーダンスを適用（adapt）することもできる。
【００６４】
インピーダンスマッチング回路５０７０は、電力コンバータ５０６０及びロード回路５０７０の組合せと２次コイル間のインピーダンスマッチングを提供することができる。実施形態として、インピーダンスマッチング回路は電力伝達を強化できる１００ｋＨｚ辺りの共振を発生させることができる。
【００６５】
コイルアセンブリ５０８０は少なくとも１つの２次コイルを含み、オプショナルには磁場から受信機の金属部分をシールド（shield）するエレメント（element）をさらに含むこともできる。
【００６６】
通信ユニット５０９０は電力送信機に要求（request）及び他の情報を通信するためにロード変調を遂行することができる。このために、電力受信機５０３０は反射インピーダンスを変更するように抵抗またはキャパシタをスイッチングすることもできる。
【００６７】
コントロールユニット５１００は、受信電力をコントロールすることができる。このために、コントロールユニット５１００は電力受信機５０３０の実際動作ポイントと所望の動作ポイントとの差を決定／算出することができる。そして、コントロールユニット５１００は電力送信機の反射インピーダンスの調整及び／又は電力送信機の動作ポイント調整要求を遂行することによって、実際動作ポイントと所望の動作ポイントとの差を調整／低減することができる。この差を最小化する場合、最適の電力受信を遂行することができる。
【００６８】
通信ユニット５０９０及びコントロールユニット５１００は、別個の素子／チップセットで備えられるか、または図１に示すように１つの素子／チップセットで備えられることもできる。
【００６９】
以下、共振モードにおける電力送受信システム及び送受信方法について追加で説明する。
【００７０】
前述したように、電力送受信システムは誘導モード及び共振モードで動作することができ、誘導モードでは低電力モード及び中間電力モードで動作することができる。但し、本発明における電力送信機は共振モードと誘導モードの受信機を全てサポートしようとする。即ち、電力送信機は発見された受信機の種類によって、受信機が共振タイプ受信機であれば共振モードで、誘導タイプ受信機であれば誘導モードで電力を転送しようとする。また、誘導タイプ受信機の場合、電力送信機は低電力受信機か、中間電力受信機かによって、各々低電力モード及び中間電力モードで電力を転送しようとする。このために、電力送信機は電力受信機がどんなタイプに該当するかを決定しなければならない。
【００７１】
以下、電力送信機及び電力受信機が互いに共振モードの送／受信機か、または誘導モードの送／受信機かをディテクトして動作モードによって無線充電を遂行する方法について説明する。
【００７２】
まず、共振タイプ電力送信機は電力受信機から受信したパケットに含まれた情報をパーシングして電力受信機の種類を決定するようにする。そして、共振タイプ電力受信機は折衝ステップまでは誘導モードで駆動し、折衝ステップで電力送信機から受信したパケットに含まれた情報をパーシングして電力送信機の種類を決定するようにする。パーシングされた情報から電力送信機が共振モードの送信機の場合には、動作モードを誘導モードから共振モードに変更することができる。共振モードの電力受信機は電力送信機のタイプによって共振モードまたは誘導モードで電力伝達ステップを遂行することができる。
【００７３】
このように送信機及び受信機が各々自分のタイプを識別するために転送する情報をモード情報と称することができる。言い換えると、モード情報は送信機及び受信機が共振モードで動作するか、及び／又は誘導モードで動作するかを示すことができる。
【００７４】
前述したように、電力受信機は識別／構成ステップで構成パケット（configuration packet）を送信機に転送することができる。この構成パケットで折衝ステップ要求が示される場合、電力送信機は折衝ステップに進入することができる。即ち、この場合、受信機が誘導モードのうち、中間電力モードの受信機であると判断できるものである。構成パケットに折衝ステップ要求が示されない場合には、直ぐ電力伝達ステップに進行することもできる。
【００７５】
図６は、本発明の一実施形態に係る電力転送方法を示す。
【００７６】
図６は図２の識別／構成ステップ及び折衝ステップをより詳しく示し、特に電力送信機及び電力受信機が互いのタイプを識別し、動作モードを決定する方法を示す。識別／構成ステップ（Ｓ６０１０）及び折衝ステップ（Ｓ６０２０）は、各々図２の識別／構成ステップ（Ｓ２０３０）及び折衝ステップ（Ｓ２０４０）に対応し、重複した説明を省略し、補充の説明を主として記述することにする。
【００７７】
識別／構成ステップ（Ｓ６０１０）で、電力受信機は識別パケット（identification packet）及び構成パケット（configuration packet）を電力送信機に転送する。
【００７８】
識別パケットは電力受信機のバージョン情報（Major/Minor Version）、製造者（manufacturer）コード情報、及び識別情報（Basic Device Identifier）を含み、識別パケットを通じて電力送信機は電力受信機を識別することができる。
【００７９】
構成パケットは、電力受信機の構成に対する情報を含む。本発明の実施形態において、構成パケットは折衝ステップ要求情報（Neg Field）を含むことができる。折衝ステップ要求情報が０に設定された場合（Ｎｅｇ＝０）、電力送信機は折衝ステップを経ないで直ぐ電力伝達ステップに進行することができ、折衝ステップ要求情報が１に設定された場合（Ｎｅｇ＝１）、電力送信機は折衝ステップに進入することができる。また、本発明の実施形態において、構成パケットはモード情報を含む。モード情報は電力受信機が誘導モードの受信機か、共振モードまでサポートする受信機かを示すことができる。
【００８０】
識別／構成ステップ（Ｓ６０１０）で、識別パケット及び構成パケットを受信した電力送信機は、構成パケットを通じて電力受信機のタイプを識別することができる。前述したように、電力送信機は折衝ステップ要求情報を使用して電力受信機が低電力の誘導タイプ受信機か、または中間電力の誘導タイプ受信機／共振タイプ受信機かを識別することができる。そして、電力送信機はモード情報をパーシングして電力受信機が中間電力の誘導タイプ受信機か、または共振タイプ受信機かを識別することができる。
【００８１】
電力送信機は、電力受信機が低電力の誘導タイプ受信機の場合、折衝ステップ（Ｓ６０２０）を経ないで電力伝達ステップに進行することができる。電力送信機は電力受信機が中間電力の誘導タイプまたは共振タイプの場合、電力受信機に肯定応答（ＡＣＫ）を転送し、折衝ステップ（Ｓ６０２０）に進行することができる。
【００８２】
折衝ステップ（Ｓ６０２０）で、電力送信機も電力受信機に識別パケット及び構成パケットを転送することができる。電力送信機が転送する識別パケットは、バージョン情報（Major/Minor Version）及び製造者情報を含むことができる。電力送信機が転送する構成パケットは、電力情報及びモード情報を含むことができる。
【００８３】
電力送信機は、折衝ステップ（Ｓ６０２０）で電力割り振り（power allocation）、動作モード決定を遂行し、共振モードで動作する場合には少なくとも１つの電力受信機に対してＩＤ割り当て（ID assignment）を遂行することもできる。
【００８４】
電力受信機は、電力送信機から受信したモード情報を通じて電力送信機の種類を識別することができる。まず、折衝ステップに進入したので電力送信機は中間電力の誘導タイプ、または共振タイプであることを識別することができる。そして、折衝ステップ（Ｓ６０２０）で受信したモード情報を通じて電力送信機が誘導タイプか、または共振タイプかを識別することができる。
【００８５】
中間電力誘導タイプ受信機は、サポートする最大（full）電力で電力受信及び充電を遂行することができる。共振タイプ受信機は、送信機のタイプによって電力コントロール方法を選択して電力受信及び充電を遂行することができる。電力送信機が中間電力誘導タイプの場合、電力受信機は受信することができる最大（full）電力容量で電力を受信及び充電することができる。
【００８６】
図７は、本発明の実施形態に係る電力受信機が転送する構成パケット及び電力送信機が転送する構成パケットを示す。
【００８７】
図７（ａ）は、電力受信機が前述した識別／構成ステップで転送する構成パケットを示す。図７（ａ）の構成パケットに含まれた各フィールドに対する説明は、以下の通りである。
【００８８】
−電力クラス（Power Class）フィールド：保証された（Guaranteed）電力値と関連した無符号（unsigned）整数値を含む。
【００８９】
−最大電力（Maximum Power）フィールド：電力受信機が整流器の出力で提供することを期待する電力の最大量を示す。
【００９０】
−Ｐｒｏｐフィールド：電力伝達ステップでの電力伝達を制御する方法を示す。
【００９１】
−Ｎｅｇフィールド（折衝ステップ要求情報）：このフィールドの値が１に設定されれば、電力送信機はＡＣＫメッセージを転送し、折衝ステップに進入する。このフィールドの値が０であれば、電力送信機は折衝ステップに進入せず、電力伝達ステップに進入する。
【００９２】
−ＦＳＫ極性（FSKPolarity）フィールド：送信機の変調極性がデフォルト値か、反転された値かを示す。
【００９３】
−ＦＳＫデップス（FSKDEpth）フィールド：送信機の変調デップスを示す。
【００９４】
−カウント（Count）フィールド：識別／構成ステップで電力受信機が転送するオプショナル構成パケットの数を示す。
【００９５】
−ウィンドウサイズ（Window Size）フィールド：受信電力の平均化（averaging）のためのウィンドウサイズを示す。
【００９６】
−ウィンドウオフセット（Window Offset）フィールド：受信電力を平均化するウィンドウと受信電力パケット転送との間のインターバルを示す。
【００９７】
−動作モード（OP Mode）フィールド：前述したモード情報であって、電力受信機がサポートする動作モードを示す。実施形態として、動作モードフィールドの値が０の場合には誘導モード、即ち（＝独占モード）であることを示し、動作モードフィールドの値が１の場合には共振モード（＝共有モード）であることを示すことができる。
【００９８】
図７（ｂ）は、電力送信機が前述した折衝ステップで転送する構成パケットを示す。図７（ｂ）の構成パケットに含まれた各フィールドに対する説明は、以下の通りである。
【００９９】
−保証電力クラス（Guaranteed Power Class）フィールド：電力送信機の電力クラスを示す。実施形態として、低電力送信機はフィールド値を１に、中間電力受信機はフィールド値を０に設定することができる。
【０１００】
−保証電力（Guaranteed Power）フィールド：適切な（apporiate）基準電力受信機を満たす電力送信機の保証電力を示す。
【０１０１】
−潜在電力クラス（Potential Power Class）フィールド：電力送信機の電力クラスを示す。実施形態として、低電力送信機はフィールド値を１に、中間電力受信機はフィールド値を０に設定することができる。
【０１０２】
−潜在電力（Potential Power）フィールド：適切な基準電力受信機に潜在的に伝達できる電力送信機の最大電力量を示す。
【０１０３】
−動作モード（OP Mode）フィールド：前述したモード情報であって、電力送信機がサポートする動作モードを示す。実施形態として、動作モードフィールドの値が０の場合には誘導モード、即ち１：１充電モードであることを示し、動作モードフィールドの値が１の場合には共振モード、即ち共有モードであることを示すことができる。
【０１０４】
図８は、電力送信機のタイプ及び電力受信機のタイプに従う動作方法の差及び制御の流れを示す。
【０１０５】
図８（ａ）は、電力送信機が誘導タイプとして低電力転送タイプの場合、電力送信機と各タイプの電力受信機とのデータの流れを示す。
【０１０６】
図８（ａ）で、電力送信機が低電力誘導タイプに該当するので、この電力受信機がサポートすることができる電力提供方法は低電力誘導タイプだけである。したがって、低電力誘導タイプ受信機だけでなく、中間電力誘導タイプ受信機及び共振タイプ受信機も低電力誘導モードで動作するようになる。したがって、前述したように折衝ステップは省略され、ディジタルピングステップ、識別／構成ステップ、及び電力伝達ステップ全て、データは受信機から送信機に転送され、受信機が全般的な動作を制御する。
【０１０７】
図８（ｂ）は、電力送信機が誘導タイプとして中間電力転送タイプの場合、電力送信機と各タイプの電力受信機とのデータの流れを示す。
【０１０８】
図８（ｂ）で、電力送信機が中間電力誘導タイプに該当するので、この電力送信機は低電力誘導タイプ受信機及び中間電力誘導タイプ受信機をサポートすることができる。したがって、電力受信機が低電力誘導受信機の場合には、折衝ステップ無しで低電力誘導モードで動作するが、中間電力誘導受信機または共振受信機の場合には折衝ステップを経て中間電力誘導モードで動作することができる。
【０１０９】
中間電力の誘導モードで駆動する場合、折衝ステップで電力送信機もＩＤ情報または構成情報を電力受信機に転送できるので、折衝ステップでは両方向通信が遂行される。但し、他のステップでは送信機が受信機にデータを転送し、電力充電の全般的な動作も受信機によりコントロールされる。
【０１１０】
図８（ｃ）は、電力送信機が共振タイプの場合、電力送信機と各タイプの電力受信機とのデータの流れを示す。
【０１１１】
図８（ｃ）で、電力送信機が共振タイプに該当するので、この電力送信機は誘導タイプ受信機及び共振タイプ受信機を各々のタイプに合うように全てサポートすることができる。したがって、低電力誘導受信機は低電力誘導モードで、中間電力誘導受信機は中間電力誘導モードで、共振タイプ受信機は共振モードで各々動作する。共振送信機と共振受信機の電力転送の場合には、電力伝達ステップでも両方向にデータ通信が遂行される。共振モードの電力伝達の場合、受信機が自体の共振周波数をコントロールすることによって受信電力をコントロールし、追加で電力送信機の動作ポイント制御を要求して受信電力をコントロールすることもできる。
【０１１２】
図９は、本発明の一実施形態に係るＩＤ割り当てパケットを示す。
【０１１３】
共振タイプの電力送信機は複数の共振タイプ電力受信機を同時に充電することができる。但し、複数の共振タイプ電力受信機に電力を転送する場合、通信のために各々の電力受信機にＩＤを割り当てなければならない。
【０１１４】
図９で、ＩＤフィールドはディテクトされた少なくとも１つの電力受信機のＩＤ情報を示す。電力送受信が共振モードで遂行される場合、電力受信機はＩＤ要求を電力送信機に転送することができる。このような場合、電力送信機は電力受信機にＩＤを割り当てて、割り当てられたＩＤ情報を図９のＩＤ割り当てパケットに含めて電力受信機に転送することができる。
【０１１５】
図１０は、本発明の一実施形態に係る電力伝達の間のデータ通信のためのフレーム構造を示す。
【０１１６】
共振モードで、電力送信機はマスターとしてシンク信号を電力受信機に転送し、電力受信機はスレーブとしてシンク信号に対する応答（response）信号を転送することができる。電力送信機と電力受信機との間の通信は電力送信機がシンク信号を送らないことによって終了されることもできる。シンク信号はシンクパケットに、応答信号は応答パケットに、図１０のような構造でフレームを時分割したタイムスロットに割り振りできる。
【０１１７】
共振モードで、電力送信機は複数の電力受信機と通信を遂行しなければならないので、通信のためのフレームに含まれたタイムスロットを電力受信機に割り振る方式を使用することができる。このような場合、シンク信号の割当方法によって図１０（ａ）のようにフレーム当たり１つのシンク信号を使用する方法と、図１０（ｂ）のようにフレームでタイムスロット毎にシンク信号を割り振ることによって、複数のシンク信号を使用する方法を使用することができる。各々の電力受信機に対するタイムスロットの割り振りは、図９で説明したＩＤ及びＩＤ割り当てパケットを使用して遂行できる。
【０１１８】
電力送信機はシンクパケットを転送し、それに対する応答パケットとして電力送信機の状態情報を受信することもできる。このような状態情報は受信される電力情報または電力転送終了要求を含むこともできる。安全のために、電力受信機はシンク信号の受信無しでもＯＶ／ＯＣ／ＯＴ情報を転送することができる。
【０１１９】
図１１は、本発明の一実施形態に係るシンクパケットを示す。
【０１２０】
電力送信機は特定電力受信機から応答を受信するためにシンクパケットを転送することができる。図１１のように、シンクパケットはアドレスＩＤ（ADDR ID）フィールド及び要求（request）フィールドを含むことができる。
【０１２１】
アドレスＩＤ（ADDR ID）フィールドは、電力送信機が応答を要求する対象電力受信機を識別することができる。対象電力受信機を識別するアドレスＩＤ情報は、図９に示したＩＤ割り当てパケットを通じて割り当てたＩＤ情報に該当することもできる。但し、電力送信機は特定電力受信機のアドレスＩＤを使用するだけでなく、現在充電中の全ての電力受信機に応答を要求するアドレスＩＤを使用することもできる。
【０１２２】
実施形態として、アドレスＩＤフィールド値が１１１ｂの場合、全ての充電中の電力受信機が割り振られた時間スロットに応答を転送することができる。アドレスＩＤフィールド値が特定電力受信機を示す場合、該当電力受信機のみが応答を転送することができる。
【０１２３】
要求（Request）フィールドは、電力送信機が電力受信機に要求する情報を示すことができる。
【０１２４】
一実施形態として、要求フィールドはフィールド値によって以下のような応答を要求することができる。
【０１２５】
要求フィールドのフィールド値が０００１ｂの場合、電力受信機の状態レポートを要求することができる。状態レポートは、受信電力パケット、電力転送終了パケットなどが該当できる。要求フィールドのフィールド値が００１０ｂの場合、電力送信機は電力分配のための再折衝を要求することができる。言い換えると、電力送信機は電力再割振のために折衝ステップをまた遂行することを電力受信機に要求することができる。または、ＩＤ情報などを再度要求することもできる。
【０１２６】
他の実施形態として、要求フィールドはフィールド値によって以下のような応答を要求することができる。
【０１２７】
要求フィールドのフィールド値が０００１ｂの場合、電力受信機に受信電力情報の転送を要求することができる。要求フィールドのフィールド値が００１０ｂの場合、電力受信機に整流（rectified）電圧情報の転送を要求することができる。要求フィールドのフィールド値が００１１ｂの場合、電力受信機に電力伝達終了パケットの転送を要求することができる。要求フィールドのフィールド値が０１００ｂの場合、電力送信機は電力分配のための再折衝を要求することができる。言い換えると、電力送信機は電力再割当のために折衝ステップをまた遂行することを電力受信機に要求することができる。要求フィールドのフィールド値が０１０１ｂの場合、電力受信機にＩＤ情報の転送を要求することができる。
【０１２８】
以下、本発明の実施形態に係る電力送信機の電力伝達方法についてより詳しく説明する。
【０１２９】
本発明は、誘導電力受信機と共振電力受信機を全て充電することができる電力送信機を提供しようとする。但し、前述したように、誘導電力受信機の場合、電力送信機が転送する電力自体をコントロールするが、共振電力受信機の場合、電力受信機が受信した電力をコントロールすることができる。したがって、共振モードで転送する電力が誘導モードで転送する電力より高いか強いように設定することができる。そして、両方式を容易にサポートするためのインバータのデザインと、これに従う電力転送方法を以下に追加で説明する。
【０１３０】
図１２は、本発明の実施形態に係る電力送信機を示す図である。
【０１３１】
図１２の電力送信機は図１及び図４の電力送信機を補充して説明するものであって、図１２に図示していない前述した電力送信機の構成要素は説明の便宜のために省略されたものであり、構成によって含まれるか、または除外できる。
【０１３２】
図１２で、電力送信機は、セレクションユニット１２０１０（Selection Unit）、通信／コントロールユニット１２０２０、及び電力変換回路１２０３０を含むことができる。
【０１３３】
セレクションユニット１２０１０は、電力受信機の位置または有無をディテクトする回路であって、オプショナルに備えられる。
【０１３４】
通信／コントロールユニット１２０２０は電力受信装置と通信を遂行し、関連電力コントロールアルゴリズム及びプロトコルを遂行し、ＡＣ波形の周波数を駆動（drive）して電力伝達をコントロールすることができる。特に、本発明ではサブハーフブリッジインバータ１２０７０の駆動及びサブハーフブリッジインバータ１２０７０を駆動するパルス信号（ＰＷＭ）をコントロールすることができる。
【０１３５】
図１２の実施形態において、電力変換ユニット１２０３０はＤＣ入力を共振回路を駆動するＡＣ波形に変換するインバータであって、メインパルス信号が印加されるメインハーフブリッジインバータ１２０４０、サブパルス信号が印加されるサブハーフブリッジインバータ１２０７０、磁場を生成するコイルセル１２０６０（Coil cell）、及びコイルセルの電流をモニタリングする電流センサー１２０５０（Current Sense）を含むことができる。コイルセル１２０６０は、コイルと共振キャパシタを含むこともできる。
【０１３６】
本発明に係る電力送信機は、同時に複数の電力受信機を充電するために複数のコイルセルを含むことができる。このような場合、複数のコイルセルに対して１つのインバータのみを使用すれば、同時に充電する電力受信機の各々に対する電力コントロールを遂行し難い。また、複数のコイルセルの各々に対してインバータが備えられるように複数のインバータを使用すれば、同時に充電する複数の電力受信機の各々に対する電力コントロールを遂行することはできるが、回路複雑度が上昇し、回路製作費用が増加する。したがって、本発明ではメインパルス信号が印加されるメインハーフブリッジインバータを置いて、複数のコイルセルに対して複数のハーフブリッジインバータを備えるように設計して、回路複雑度を低め、かつ複数の電力受信機をより容易にコントロールすることができる電力送信機を提案しようとする。
【０１３７】
図１３は、本発明の実施形態に係る電力送信機を示す図である。
【０１３８】
図１３は、図１２で図示した電力送信機をより詳しく示す。
【０１３９】
図１３で、電力送信機はメインハーフブリッジインバータ１３０１０、電流センサー１３０２０、Ｎ個のコイルセル１３０３０−１〜Ｎ、Ｎ個のサブハーフブリッジインバータ１３０４０−１〜Ｎ、Ｎ個のマルチプレクサ１３０５０−１〜Ｎ（ＭＵＸ）、Ｎ個のイネーブル端子１３０６０−１〜Ｎ（ＥＮ）、Ｎ個のセレクション端子１３０７０−１〜Ｎ（ＳＥＬ）、及び通信／コントロールユニット１３０８０を含む。
【０１４０】
メインハーフブリッジインバータ１３０１０にはメインパルス信号（メインＰＷＭ）が印加され、複数のサブハーフブリッジインバータ１３０４０の各々には第１サブパルス信号（サブＰＷＭ１）または第２サブパルス信号（サブＰＷＭ２）が印加できる。マルチプレクサ１３０５０は、セレクション端子１３０７０のセレクション入力に従って第１サブパルス信号または第２サブパルス信号をサブハーフブリッジインバータ１３０４０に印加することができる。但し、応用によっては２つ以上のサブパルス信号が選択的に印加されることもできる。
【０１４１】
通信／コントロールユニット１３０８０は、イネーブル信号／ディスエーブル信号をイネーブル端子１３０６０に印加して各々のサブハーフブリッジインバータ１３０４０をイネーブル（enable）またはディスエーブル（disable）させることができる。他の表現として、通信／コントロールユニット１３０８０はイネーブル信号を印加するか、またはイネーブル信号の印加を終了することによって、サブハーフブリッジインバータ１３０４０をイネーブルまたはディスエーブルさせることができる。また、通信／コントロールユニット１３０８０はセレクション信号をセレクション端子１３０７０に印加してマルチプレクサ１３０５０の出力を選択することができる。イネーブル端子１３０６０及びセレクション端子１３０７０は通信／コントロールユニット１３０８０により制御され、送信機デザインによってオプショナルに含まれることができる。
【０１４２】
図１３の電力送信機は、基本的にメインハーフブリッジインバータ１３０１０を駆動し、各々のサブハーフブリッジインバータをイネーブル／ディスエーブルするか、または各々のサブハーフブリッジインバータに印加されるサブパルス信号を選択的に印加することによって、各々のコイルセルに流れる電流をコントロールし、したがって、伝達電力を効率良くコントロールすることができる。追加的な電力送信機の動作方法は以下に一層詳細に説明する。
【０１４３】
図１４は、本発明の実施形態に係るメインパルス信号、サブパルス信号、及びマルチプレクサの出力パルス信号を示す。
【０１４４】
まず、メインパルス信号（メインＰＷＭ）は特定の振幅と周波数を有するパルス信号になることができる。これに対し、サブパルス信号はメインパルス信号を使用して実現される。即ち、第１サブパルス信号（サブＰＷＭ１）はメインパルス信号の位相反転された信号、即ちメインパルス信号と１８０度の位相差がつく信号を使用することができる。そして、第２サブパルス信号（サブＰＷＭ２）はメインパルス信号を位相コントロールした信号を使用することができる。
【０１４５】
このようにメインパルス信号及びサブパルス信号を構成する場合、次のような動作方法を使用することができる利点がある。前述したように、メインハーフブリッジインバータにはメインパルス信号が印加され、サブハーフブリッジインバータには第１サブパルス信号または第２サブパルス信号が印加される。まず、第１サブパルス信号が印加される場合、メインパルス信号との位相差によりコイルは最大電力を伝達できるようになる。そして、第２サブパルス信号が印加される場合にはメインパルス信号との位相差によりコイルは最大電力よりは小さな電力を伝達できるようになる。
【０１４６】
第２サブパルス信号が印加される場合、伝達される電力は位相コントロールの程度によって異なることがある。コントロールされる位相差が１８０度に近づくほど、最大電力に近い電力が伝達され、コントロールされる位相差が０度に近づくほど、小さな電力が伝達できる。実施形態として、第２サブパルス信号はメインパルス信号と位相差が−９０〜＋９０度の範囲に該当するように位相コントロールされた信号でありうる。この範囲を外れる場合には、第１サブパルス信号をコントロールすることがより効率が良いこともあるためである。
【０１４７】
サブパルス信号はマルチプレクサでスイッチングされる。マルチプレクサはセレクション信号に従ってサブパルス信号をスイッチングして出力することができる。図１４の実施形態のように、通信／コントロールユニットがセレクション信号に１を印加すれば、マルチプレクサは第１サブパルス信号を出力し、セレクション信号に０を印加すれば、マルチプレクサは第２サブパルス信号を出力することができる。
【０１４８】
イネーブル信号は実際電力転送を印加する信号である。図１３で、メインハーフブリッジにはメインパルス信号が印加されているが、コイルセルにはイネーブル信号が印加された場合のみに電流が印加されて電力を伝達することができる。
【０１４９】
図１４で、サブハーフブリッジインバータに第１サブパルス信号を印加すれば、コイルセルは大きい電力を伝達し、第２サブパルス信号を印加すれば、コイルセルは小さな電力を伝達することができる。本明細書において、第１サブパルス信号を印加する場合はコイルセルが出力する電力を充電用電力、第２サブパルス信号を印加する場合はコイルセルが出力する電力を通信用電力と称することができる。通信用電力は、回路駆動時、ピングまたはディジタルピングを印加して電力受信機を発見することに使われるか、または電力受信機と通信を遂行することに使用できる。勿論、位相を追加でコントロールして通信電力を充電に使用することも可能であるが、説明の便宜上、第２サブパルス信号を通信用電力と称することができる。
【０１５０】
図１３及び図１４のような構成を使用することによって、電力送信機は複数のコイルセルを効率良く制御して少なくとも１つの電力受信機を発見し、電力送信を遂行することができる。以下、図１４の信号を使用して図１３の電力送信機を制御する方法について図１５で説明する。
【０１５１】
図１５は、本発明の一実施形態に係る無線電力送信機の動作方法を示す。
【０１５２】
図１５の動作は通信／コントロールユニットにより制御されるが、説明の便宜上、無線電力送信機が制御することと説明することもできる。また、図１５は電力送信機が電力受信機を発見し、電力転送を始めるまでの過程を図１３の回路及び図１４のパルス信号を使用して遂行する方法を示す。図１５の方法の開始で、電力送信機は複数のコイルセルに対するイネーブル信号は全て印加されていない状態であることを仮定する。
【０１５３】
電力送信機は第２サブパルス信号を印加するセレクション信号を設定することができる（Ｓ１５０１０）。言い換えると、電力送信機は第２サブパルス信号を出力するセレクション信号を設定してマルチプレクサに適用することができる。前述した実施形態のように、セレクション信号を０に設定すれば第２サブパルス信号が印加されることができ、通信／コントロールユニットはセレクション端子を通じてマルチプレクサにセレクション信号（０）を印加して所望の第２サブパルス信号を出力することができる。
【０１５４】
電力送信機は第１コイルセルのサブハーフブリッジインバータにイネーブル信号を印加して電力を転送することができる（Ｓ１５０２０）。この際、転送される電力は通信用電力であって、前述したピングまたはディジタルピングに該当することができる。または、前述した電力送信機のデータ転送に使われることもできる。言い換えると、サブハーフブリッジインバータに第２サブパルス信号が印加されて、第１コイルセルは回路駆動／受信機発見用の小さな電力を転送することができる。
【０１５５】
電力送信機は電力受信機の応答を受信することができる（Ｓ１５０３０）。電力送信機は電流センサーを使用して印加した通信用電力に従う１次コイルの変化を感知することによって電力受信機を発見し、電力受信機の応答をディテクトすることができる。図１５で示すステップ（１５０３０）は電力受信機の発見及び電力受信機の応答受信を共に示し、このステップは図２の識別／構成ステップまたは折衝ステップのうち、少なくとも１つに該当することができる。
【０１５６】
電力受信機の応答が受信されれば、電力送信機はセレクション信号の設定を第１サブパルス信号を印加するように変更することができる（Ｓ１５０４０）。前述した実施形態において、通信／コントロールユニットはセレクション信号を１に変更することによって、サブハーフブリッジインバータに第１サブパルス信号を印加することができる。サブハーフブリッジインバータに第１サブパルス信号が印加されるので、第１コイルセルは充電電力を送信して電力伝達を開始することができる。
【０１５７】
電力受信機の応答が受信されなければ、電力送信機は第１サブハーフブリッジインバータに対するイネーブル信号の印加を終了することができる（Ｓ１５０５０）。電力受信機が発見されなかったので、電力送信機は第１コイルセルには充電を要する電力受信機がアタッチ（attach）されないと判断できるためである。
【０１５８】
図１５で、ステップ（Ｓ１５０１０〜１５０５０）は、複数のコイルセルの各々に対して遂行できる。したがって、電力送信機は第２コイルセルに対して図１５のステップを遂行し、同一な方式によりＮ番目コイルセル（最後のコイルセル）まで図１５のステップを遂行した後、終了することができる。そして、一定時間間隔後、またはアナログピングにより外部オブジェクトを発見した場合、再度図１５のステップを遂行することができる。電力送信機は電力充電中でないコイルセルに対してのみ図１５のステップを遂行するか、またはアナログピングにより外部オブジェクトが発見されたコイルセルに対してのみ図１５のステップを遂行することもできる。そして、第２サブパルス信号は時分割して一回に１コイルのみに供給されることもできる。
【０１５９】
追加で、電力受信機の応答が受信された場合（Ｓ１５０３０）、電力送信機は電力受信機の種類によって異なるように動作することもできる。電力受信機が共振タイプ電力受信機の場合には、図１５で説明したように、セレクション信号設定を第１サブパルス信号が印加されるように変更することができる（Ｓ１５０４０）。電力送信機は電力受信機が誘導タイプ電力受信機の場合には、セレクション信号設定を変更せず、代わりに第２サブパルス信号の位相をコントロールすることによって電力を転送することができる。
【０１６０】
電力受信機が共振タイプの場合、電力送信機が大きい電力を送信すれば、電力受信機が共振周波数を調整して適切な電力を受信することができる。しかしながら、電力受信機が誘導タイプの場合には電力送信機が適合した電力を転送しなければならず、この場合には低い電力から高い電力に電力を調整することが回路及び電力伝達の安定性に一層有利なためである。
【０１６１】
実施形態として、電力受信機の応答は前述したモード情報を含むこともできる。電力送信機は受信したモード情報をパーシングして、電力受信機が共振タイプ電力受信機か、または誘導タイプ電力受信機かを決定することもできる。
【０１６２】
図１６は、本発明の他の一実施形態に係る電力送信機を示す図である。
【０１６３】
図１６の電力送信機の構成は、図１２に示す通りである。但し、電流センサー１６０１０の構成が図１２と異なり、これに対しては図１７を参考にしてより詳しく説明する。電流センサーの位置及び構成以外の他の説明は図１２で説明した通りである。
【０１６４】
図１７は、本発明の他の一実施形態に係る電力送信機を示す図である。
【０１６５】
図１７は、図１６で図示した電力送信機をより詳しく示す。
【０１６６】
図１７は、図１３で図示した電力送信機と同一なサブユニットを含んでいる。即ち、電力送信機はメインハーフブリッジインバータ、Ｎ個のコイルセル、Ｎ個のサブハーフブリッジインバータ、Ｎ個のマルチプレクサ、Ｎ個のイネーブル端子、Ｎ個のセレクション端子、及び通信／コントロールユニットを含む。但し、図１３のように１つの電流センサーがメインハーフブリッジインバータと連結される代わりに、図１７ではＮ個の電流センサーが各々のコイルセルとサブハーフブリッジインバータの間に含まれる。このような構成の差異点の以外の説明は図１３と同一であり、以下では電流センサーの構成の差について説明する。
【０１６７】
図１７の電力送信機は電流センサーが各々のコイルセルに付加されて、コイルセル別に通信及び制御を遂行することができる。言い換えると、図１５のような方法を遂行する場合にも、コイルセル別に順次に図１５の方法を遂行する代わりに、全てのコイルセルに対して図１５の方法を遂行することができる。
【０１６８】
図１５の方法を遂行する場合、図１７の電力送信機は同時に全てのコイルセル、即ち全てのサブハーフブリッジインバータにイネーブル信号を印加することによって、全てのコイルセルで通信用電力を転送することができる。そして、各々の電流センサー１７０１０−１〜Ｎを使用して電力受信機を発見するか、または電力受信機と通信し、応答が確認されたコイルセルに対してのみ第１サブパルス信号を適用することによって電力を伝達することができる。
【０１６９】
図１７の電力送信機でも、図１５で説明したように、各コイルセルで発見された電力受信機のタイプによって異なるように動作することもできる。通信結果、電力受信機が誘導タイプの場合には第１サブパルス信号を印加せず、既に印加された第２サブパルス信号の位相をコントロールして電力転送を遂行することができる。但し、第１サブパルス信号の位相を初期電力転送を行うことができるフェーズ（例えば、第２サブパルス信号の初期フェーズ）に変更し、変更された第１サブパルス信号を残りのコイルに供給することもできる。
【０１７０】
図１６及び図１７のような電力送信機を使用する場合、同時に複数の電力受信機を充電できるだけでなく、複数の電力受信機の各々と通信してコントロールを遂行することができる。したがって、複数の共振タイプ受信機だけでなく、複数の誘導タイプ受信機までも同時に充電可能であり、共振タイプ受信機と誘導タイプ受信機の同時充電も可能である。特に、２つ以上のサブパルス信号を使用することによって、サブパルス信号の数だけの誘導タイプ受信機をサポートすることができる。即ち、Ｎ個の誘導タイプ受信機に対してＮ個のサブパルス信号を使用して個別的に制御を遂行することによって、同時に充電を遂行することができる。
【０１７１】
本発明の思想や範囲を逸脱することなく本発明で多様な変更及び変形が可能であることは当業者であれば理解することができる。したがって、本発明は添付の請求項及びその同等範囲内で提供される本発明の変更及び変形を含むことと意図される。
【０１７２】
本明細書で装置及び方法発明が全て言及され、装置及び方法発明の全ての説明は互いに補完して適用できる。
【０１７３】
多様な実施形態が本発明を実施するための最善の形態で説明された。
【産業上の利用可能性】
【０１７４】
本発明は一連の無線充電分野で用いられる。
【０１７５】
本発明の思想や範囲を逸脱することなく本発明で多様な変更及び変形が可能であることは当業者に自明である。したがって、本発明は添付の請求項及びその同等範囲内で提供される本発明の変更及び変形を含むものと意図される。
【図１】
0006273040.tif 000002
【図２】
0006273040.tif 000003
【図３】
0006273040.tif 000004
【図４】
0006273040.tif 000005
【図５】
0006273040.tif 000006
【図６】
0006273040.tif 000007
【図７】
0006273040.tif 000008
【図８】
0006273040.tif 000009
【図９】
0006273040.tif 000010
【図１０】
0006273040.tif 000011
【図１１】
0006273040.tif 000012
【図１２】
0006273040.tif 000013
【図１３】
0006273040.tif 000014
【図１４】
0006273040.tif 000015
【図１５】
0006273040.tif 000016
【図１６】
0006273040.tif 000017
【図１７】
0006273040.tif 000018